(57)【要約】【課題】積層基板内に半導体素子を組み込んだ半導体装置の信頼性を向上させること。【解決手段】本発明は、上側基板１１と下側基板１２との間に枠状の中間基板１３を挟み込み、この中間基板１３の枠内における上側基板１１と下側基板１２との間で半導体素子２を挟持して成る半導体装置１において、中間基板１３における枠の内壁と半導体素子２との間に第１の隙間Ｇ１が設けられ、半導体素子２と下側基板１２との間に第２の隙間Ｇ２が設けられており、第１の隙間Ｇ１および第２の隙間Ｇ２に絶縁性接着剤３が充填されているものである。【選択図】図１
2006013023.tif 000002
【特許請求の範囲】
【請求項１】
第１の基板と第２の基板との間に枠状の中間基板を挟み込み、この中間基板の枠内における前記第１の基板と前記第２の基板との間で半導体素子を挟持して成る半導体装置において、
前記中間基板における枠の内壁と前記半導体素子との間に第１の隙間が設けられ、前記半導体素子と前記第２の基板との間に第２の隙間が設けられており、前記第１の隙間および前記第２の隙間に絶縁性接着剤が充填されてなる
ことを特徴とする半導体装置。
【請求項２】
前記第１の隙間および前記第２の隙間に充填される絶縁性接着剤は同一材料からなる
ことを特徴とする請求項１記載の半導体装置。
【請求項３】
前記第１の隙間に充填される前記絶縁性接着剤は、前記中間基板における枠の内壁の前記第１の基板との境界部分および前記第２の基板との境界部分へ僅かに入り込んでいる
ことを特徴とする請求項１記載の半導体装置。
【請求項４】
前記半導体素子の電極バンプと前記第２の基板に設けられている導体パターンとが導通する状態で接触している
ことを特徴とする請求項１記載の半導体装置。
【請求項５】
前記第１の基板、前記第２の基板、前記中間基板は各々熱可塑性樹脂によって構成されている
ことを特徴とする請求項１記載の半導体装置。
【請求項６】
前記第１の基板、前記第２の基板、前記中間基板は各々熱可塑性樹脂によって構成され、各々の接触部分で熱圧着されている
ことを特徴とする請求項１記載の半導体装置。
【請求項７】
下側基板に導体パターンを形成し、前記下側基板に絶縁性接着剤を塗布する工程と、
前記下側基板に塗布した前記絶縁性接着剤の上に半導体素子を載置し、この半導体素子に設けられた電極バンプと前記導体パターンとを接触させる工程と、
前記下側基板の上で前記半導体素子の周辺に、前記半導体素子の外形よりもわずかに大きい枠を備える中間基板を載置する工程と、
前記下側基板の上に載置した前記中間基板の上に上側基板を載置し、圧力を加えることで前記下側基板と前記上側基板とで挟み込まれる前記中間基板の枠内で前記半導体素子を挟持するとともに、前記絶縁性接着剤を前記半導体素子と前記下側基板との隙間および前記半導体素子と前記中間基板の枠の内壁との間に充填させる工程と
を有することを特徴とする半導体装置の製造方法。
【請求項８】
前記絶縁性接着剤の塗布領域は、
前記半導体素子が載置される領域の略中央部に塗布する中央塗布領域と、この中央塗布領域から放射状に伸びる複数本の放射塗布領域とを有する
ことを特徴とする請求項７記載の半導体装置の製造方法。
【請求項９】
前記絶縁性接着剤を前記下側基板に塗布する際には、
前記圧力を加えることで前記半導体素子と前記中間基板の枠の内壁との間および前記半導体素子と前記下側基板との間に構成される所定の隙間の容積に応じた量を塗布する
ことを特徴とする請求項７記載の半導体装置の製造方法。
【請求項１０】
前記絶縁性接着剤を前記下側基板に塗布する際には、前記半導体素子を前記絶縁性接着剤の上に載置して仮固定した状態で前記半導体素子の外形より内側に収まる量を塗布する
ことを特徴とする請求項７記載の半導体装置の製造方法。
【請求項１１】
前記絶縁性接着剤を前記下側基板に塗布する際には、前記半導体素子の電極バンプと接続する前記導体パターンの部分を除く領域に塗布する
ことを特徴とする請求項７記載の半導体装置の製造方法。
【請求項１２】
前記圧力を加える際、前記上側基板からの圧力が初めに前記中間基板に加えられ、その後に前記半導体素子へ加えられる
ことを特徴とする請求項７記載の半導体装置の製造方法。
【請求項１３】
前記圧力を加えることで、前記半導体素子と前記下側基板との間の前記絶縁性接着剤が押し出され、前記絶縁性接着剤を前記半導体素子と前記下側基板との隙間の全体および前記半導体素子と前記中間基板の枠の内壁との隙間の全体に充填される
ことを特徴とする請求項７記載の半導体装置の製造方法。
【請求項１４】
前記絶縁性接着剤の上に前記半導体素子を載置した後、所定の加熱によって前記絶縁性接着剤の流動性を低下させる
ことを特徴とする請求項７記載の半導体装置の製造方法。
【請求項１５】
前記上側基板、前記下側基板、前記中間基板は各々熱可塑性樹脂によって構成される
ことを特徴とする請求項７記載の半導体装置の製造方法。
【請求項１６】
前記上側基板、前記下側基板、前記中間基板は各々熱可塑性樹脂によって構成され、前記圧力を加えることで各々の接触部分で熱圧着する
ことを特徴とする請求項７記載の半導体装置の製造方法。
【請求項１７】
前記導体パターンは、前記圧力を加える際に加熱して硬化させる
ことを特徴とする請求項７記載の半導体装置の製造方法。
【発明の詳細な説明】
【技術分野】
【０００１】
本発明は、ＩＣベアチップ等の半導体素子を多層基板内に埋め込んで成る半導体装置および半導体装置の製造方法に関する。
【背景技術】
【０００２】
図８は、従来の半導体装置の実装方法を説明する模式断面図である。この実装方法では、フリップチップタイプの半導体素子２を基板上に実装するもので、半導体素子２の裏面に設けられた電極バンプ２１と基板４の実装面４ａに設けられた電極パターン４１とを対向接触させ、間に塗布した絶縁性接着剤３によって固定している。実装手順としては、先ず、基板４の実装面４ａに絶縁性接着剤（熱硬化性樹脂）３を供給する。次いで、半導体素子２に形成された各電極バンプ２１を基板４の各電極パターン４１に位置決めし、図示しない押圧手段により半導体素子２を基板４の実装面４ａに押圧し、さらに熱を加えて絶縁性接着剤３を硬化させる。すなわち、半導体素子２を各電極パターン４１と電気的に接続させて圧接実装する。
【０００３】
一方、携帯電話やデジタルスチルカメラなどの携帯用機器の小型化や複数の半導体素子と一般部品をワンパッケージにしたSIP（システム・イン・パッケージ）の小型化のニーズはますます高まっており、実装密度の向上を図る観点から、近年では半導体素子の内蔵を目的とした多層積層の基板も考えられている（例えば、特許文献１参照。）
【０００４】
【特許文献１】特開２００１−４４６４１号公報
【発明の開示】
【発明が解決しようとする課題】
【０００５】
しかしながら、このような絶縁性接着剤を用いた実施を行うにあたり、絶縁性接着剤の流動性によって実装時に半導体素子の下から押し出された絶縁性接着剤が半導体素子の外形端からはみ出すこともある。したがって、この実装方法では、半導体素子の端面に安定したフィレットを形成することは難しい。つまり、絶縁性接着剤の挙動がコントロールできず、図９に示すように絶縁性接着剤３が半導体素子２の外形端から多くはみ出したり、逆に足りずに接着力や絶縁性能の低下を招くことになる。
【０００６】
また、半導体素子２を多層基板の内部に収納する実装方法では、層間の電気接続を取る必要性があることや、半導体素子２と枠となる中間基板１３との位置関係が重要となるため、例えば半導体素子２の外形端から必要以上に接着剤用樹脂３がはみ出した場合、半導体素子２の周辺に配置する枠となる中間基板１３と干渉を起こし、中間基板１３が曲がってしまうことで歪みによる配線切断や半導体素子２との接触による短絡等の不具合を起こす可能性がある。また、層間の電気的接続の観点では、半導体素子２の外形端から接着剤がはみ出す領域には層間接続用のバイアホールが配置できないため、はみ出し量を考慮した設計制約が必要となり、基板の小型化を図る上で不利となる。
【課題を解決するための手段】
【０００７】
本発明はこのような課題を解決するために成されたものである。すなわち、本発明は、第１の基板と第２の基板との間に枠状の中間基板を挟み込み、この中間基板の枠内における第１の基板と第２の基板との間で半導体素子を挟持して成る半導体装置において、中間基板における枠の内壁と半導体素子との間に第１の隙間が設けられ、半導体素子と第２の基板との間に第２の隙間が設けられており、第１の隙間および第２の隙間に絶縁性接着剤が充填されているものである。
【０００８】
このような本発明では、半導体素子と中間基板の枠の内壁との間、すなわち第１の隙間と、半導体素子と第２の基板の間、すなわち第２の隙間とに絶縁性接着剤が充填されているため、半導体素子を内蔵した多層基板における絶縁性接着剤による密着性向上と、電気的な絶縁性の向上とを図ることができるようになる。
【０００９】
また、本発明は、下側基板に導体パターンを形成し、前記下側基板に絶縁性接着剤を塗布する工程と、下側基板に塗布した絶縁性接着剤の上に半導体素子を載置し、この半導体素子に設けられた電極バンプと導体パターンとを接触させる工程と、下側基板の上で半導体素子の周辺に、半導体素子の外形よりもわずかに大きい枠を備える中間基板を載置する工程と、下側基板の上に載置した中間基板の上に上側基板を載置し、圧力を加えることで下側基板と上側基板とで挟み込まれる中間基板の枠内で半導体素子を挟持するとともに、絶縁性接着剤を半導体素子と下側基板との隙間および半導体素子と中間基板の枠の内壁との間に充填させる工程とを備える半導体装置の製造方法である。
【００１０】
このような本発明では、下側基板に塗布した絶縁性接着剤の上に半導体素子を載置し、中間基板を介して上側基板で挟み込んで半導体素子を内蔵した多層基板構成の半導体装置を製造するにあたり、上側基板から半導体素子への押圧力によって半導体素子と下側基板との隙間および半導体素子と中間基板の枠の内壁との隙間に絶縁性接着剤を充填するため、半導体素子を内蔵した多層基板における絶縁性接着剤による密着性向上と、電気的な絶縁性の向上とを図ることができるようになる。
【発明の効果】
【００１１】
したがって、本発明によれば、枠状の中間基板の枠内に収納される半導体素子の第２の基板側もしくは下側基板側と、中間基板の枠の内壁との間に過不足なく絶縁性接着剤が充填されるため、確実に多層基板を密着させることができるとともに、電気的な絶縁性も確実に行うことが可能となる。これにより、半導体装置の接着強度を高め、積層基板の十分な耐リフロー性を確保することが可能となる。また、一括積層後の状態で熱圧着して基板間を接合するため、絶縁性接着剤のフィレット形状を考慮しなくても絶縁性接着剤による確実かつ正確な接着を行うことが可能となり、多層積層型の半導体装置の信頼性向上および製造の容易化を図ることが可能となる。
【発明を実施するための最良の形態】
【００１２】
以下、本発明の実施の形態を図に基づき説明する。図１は、本実施形態に係る半導体装置を説明する模式断面図である。すなわち、本実施形態に係る半導体装置１は、上側基板（第１の基板）１１と下側基板（第２の基板）１２との間に枠状の中間基板１３を挟み込み、この中間基板１３の枠内における上側基板１１と下側基板１２との間で半導体素子（チップ）２を挟持して成るもので、特に、中間基板１３の枠の内壁と半導体素子２との間に第１の隙間Ｇ１が設けられ、また半導体素子２と下側基板１２との間に第２の隙間Ｇ２が設けられ、これら第１の隙間Ｇ１および第２の隙間Ｇ２との間に絶縁性接着剤３が充填されている点に特徴がある。
【００１３】
半導体素子２の下面側には電極バンプ２１が突出して設けられており、この電極バンプ２１を下側基板１２に設けられている導体パターン１２１と接触させて導通をとっている。下側基板１２の導体パターン１２１は下側基板１２に設けられた溝に例えば銀ペースト材を埋め込んで形成したものから成り、半導体素子２の電極バンプ２１と接触した状態で加熱によって硬化する。下側基板１２における導体パターン１２１の形成方法については例えば特開２００３−２０４１４０号公報に記載されている。
【００１４】
中間基板１３は半導体素子２の外形よりも僅かに大きい枠を備えており、半導体素子２の周辺に第１の隙間Ｇ１を設けた状態で配置される。また、半導体素子２を下側基板１２に搭載した状態では、先に説明した電極バンプ２１を土台として半導体素子２と下側基板１２との間に第２の隙間Ｇ２が設けられることになる。
【００１５】
下側基板１２に搭載される中間基板１３の上面と半導体素子２の上面とはほぼ等しい位置に設けられており、中間基板１３を介して上側基板１１を搭載することで半導体素子２の上面には上側基板１１が密着する状態となる。半導体素子２の上面、すなわち上側基板１１との接触面には予め絶縁膜（図示せず）が形成されていることから、上側基板１１と密着しても電気的な短絡は発生しない。なお、この絶縁膜はクッション性を有していることが望ましく、これにより上側基板１１からの圧力から半導体素子２を保護する役目も果たすことになる。
【００１６】
また、本実施形態では、上側基板１１と下側基板１２との間に中間基板１３を挟み込み、中間基板１３の枠内に半導体素子２を組み込んだ状態で、第１の隙間Ｇ１および第２の隙間Ｇ２に絶縁性接着剤３が過不足なく充填されている。絶縁性接着剤３は後述する製造方法によって第１の隙間Ｇ１および第２の隙間Ｇ２に広がって充填されるため、同じ材質のものとなる。なお、別な材質からなるものでも第１の隙間Ｇ１および第２の隙間Ｇ２に過不足なく充填されていればよい。これにより、半導体素子２を内蔵した多層基板構成で、半導体素子２の周辺を絶縁性接着剤３で包囲でき、基板内での半導体素子２の密着性向上と、電気的な絶縁性向上とを図ることができる。特に、半導体素子２の側端面はチップとして切り出した状態になっているため、第１の隙間Ｇ１に絶縁性接着剤３が充填されていることで中間基板１３と半導体素子２との間の絶縁性および密着性を確実に得ることが可能となる。
【００１７】
図２は、第１の隙間部分の拡大模式断面図である。先に説明したように、半導体素子２と中間基板１３の枠の内壁１３ａとの間に設けられる第１の隙間Ｇ１、および半導体素子２と下側基板１２との間に設けられる第２の隙間Ｇ２に絶縁性接着剤３が充填されると、絶縁性接着剤３の圧力によって中間基板１３と上側基板１１との境界部分（図中Ａ１部）および下側基板１２との境界部分（図中Ａ２部）に絶縁性接着剤３が僅かに入り込む状態となる。このような状態になることで、第１の隙間Ｇ１および第２の隙間Ｇ２に絶縁性接着剤３が過不足なく充填されていることが分かる。
【００１８】
本実施形態の半導体装置１における一例として、半導体素子２の厚さ（電極バンプを含まず）は９５μｍ、電極バンプを含む総厚は１１５μｍ、第１の隙間Ｇ１は４０μｍ、第２の隙間Ｇ２は５μｍとなっている。このようなサイズによって計算される第１の隙間Ｇ１および第２の隙間Ｇ２の容積に対応した量の絶縁性接着剤３を塗布することで、一括積層後の半導体装置１として第１の隙間Ｇ１および第２の隙間Ｇ２に過不足なく絶縁性接着剤３を充填させることができる。
【００１９】
次に、本実施形態に係る半導体装置の製造方法を説明する。先ず、図３（ａ）の模式断面図に示すように、下側基板１２に導体パターン１２１を形成し、半導体素子２の搭載領域に絶縁性接着剤３を塗布する。下側基板１２は例えばポリアリールケトン樹脂と非晶性ポリエーテルイミド樹脂を主成分とする熱可塑性樹脂を用い、この基板に溝を形成して銀ペースト材から成る導体パターン１２１を埋め込むようにする。導体パターン１２１には必要に応じて裏面まで導通するバイアホールを接続する。
【００２０】
下側基板１２に塗布する絶縁性接着剤３はディスペンス方式あるいはスクリーン印刷等の方法で、例えば図３（ｂ）の模式平面図に示すような形で塗布する。すなわち、半導体素子２の搭載領域の略中央に塗布する中央塗布領域３１と、この中央塗布領域３１から放射状に伸びる複数本の放射塗布領域３２とを有する形にする。放射塗布領域３２は、半導体素子２の搭載領域の４つの隅部に向けて伸びるように塗布される。このような形で塗布することで、後の工程で絶縁性接着剤３を外側に押し出す際に気泡が入らず、しかも均一に広がるようになる。
【００２１】
なお、この塗布形状は一例であり、他の形状にしてもよい。また、半導体素子２を熱圧着する際に半導体素子２に設けられた電極バンプ２１と下側基板１２の導体パターン１２１との間に絶縁性接着剤３が入り込み電気的接続を妨げることの無いよう、絶縁性接着剤３は半導体素子２の各電極バンプ２１の位置よりも内側に供給する。
【００２２】
また、絶縁性接着剤３の塗布量としては、後の基板一括積層時にかかる圧力で、図１に示す第１の隙間Ｇ１および第２の隙間Ｇ２となる容積に応じた量を塗布する。これにより、第１の隙間Ｇ１および第２の隙間Ｇ２に過不足なく絶縁性接着剤３を充填できるようになる。
【００２３】
次に、塗布した絶縁性接着剤３に対して所定の加熱処理を施す。すなわち、下側基板１２に塗布した絶縁性接着剤３には多くの残溶剤が存在する。この溶剤は後の熱圧着工程や積層工程において半導体素子２の下、および積層基板内部で揮発し接着信頼性、電気接続信頼性の低下を招く。そこで、溶剤揮発を目的として例えば１００℃／１０分の熱処理を施す。なお、絶縁性接着剤３に残溶剤が存在しない場合にはこの加熱処理は不要である。
【００２４】
次に、上記熱処理を終えた下側基板１２の絶縁性接着剤３に半導体素子２を熱圧着する処理を行う。すなわち、図４の模式断面図に示すように、半導体素子２を保持具５で吸着保持し、下側基板１２上の絶縁性接着剤３の上に載置する。保持部５には表面実温度が約１２０℃となるセラミックヒータが組み込まれており、半導体素子２を載置するとともに圧力約２ｋｇｆ／ｐｃｓで熱圧着することで半導体素子２と下側基板１２との接続および電極バンプ２１と導体パターン１２１との電気的接続を行う。
【００２５】
この時、半導体素子２の下には約１００℃の温度がかかる。半導体素子２の熱圧着後の絶縁性接着剤３は塗布した形状から外方へ広がるものの、半導体素子２の外形端からはみ出さない状態となる。この際、絶縁性接着剤３は硬化しておらず流動性を持っている。なお、半導体素子２の上面（電極バンプ２１が形成されていない側の表面）には、後の基板積層時に半導体素子２と基板材料との接着性を高めるため基板材料と接着力が取れる絶縁材料がコーティングされていることが好ましい。
【００２６】
ここで、上記半導体素子２の搭載後、絶縁性接着剤３の粘性が低すぎる場合、絶縁性接着剤３は後の基板一括積層時にかかる圧力で半導体素子２の下面から流出しきってしまい、半導体素子２と下側基板１２との隙間に絶縁性接着剤３の膜が形成できない。また同様に、半導体素子２の下面から流れ出た絶縁性接着剤３が下側基板１２の層間接続部分にまで達し、電気的接続の妨げとなる可能性もある。そこで、絶縁性接着剤３の粘性を上げ、絶縁性接着剤３の流動性の抑制する目的から例えば１４０℃／１５分の熱処理を施す。なお、熱処理温度が高すぎる場合、絶縁性接着剤３は完全硬化もしくは高粘度化し、流動性を失うため、少なくとも絶縁性接着剤３が後の基板一括積層時に半導体素子２の周辺の隙間（図１に示す第１の隙間Ｇ１および第２の隙間Ｇ２）を埋められるだけの粘性を持つ温度条件で行う必要がある。
【００２７】
次いで、図６の模式断面図に示すように、上記熱処理後の半導体素子２を搭載する下側基板１２の半導体素子２の周辺に枠状の中間基板１３、その上に上側基板１１、下側基板１２のさらに下側に必要に応じて他の基板１４、１５を重ね合わせ、所定の圧力で一括積層を行う。
【００２８】
各種の基板を重ね合わせた状態では、図６（ｂ）に示すように上側基板１１が中間基板１３に当接し、上側基板１３からの圧力が直接半導体素子２へ加わらないようになっている。つまり、この状態で圧力を加えると、上側基板１１から最初に中間基板１３に対して圧力が加わり、この圧力を受けた中間基板１３から下側基板１２および他の基板１４、１５への加熱加圧による熱圧着が行われる。これにより、各基板間の隙間が塞がり、その後に広がっていく絶縁性接着剤３が各基板間に入り込んで電気的接続へ悪影響を及ぼすことを防止できる。
【００２９】
そして、さらに圧力を加えると、上側基板１１の下面と半導体素子２の上面とが当接し、これによって半導体素子２が押し込まれていく。そして、半導体素子２が押し込まれるに従い絶縁性接着剤３が外側へ押し出されていく。この際、半導体素子２の電極バンプ２１と下側基板１２の導体パターン１２１との電気的接続が保たれながら、絶縁性接着剤３は半導体素子２と下側基板１２との隙間（第２の隙間Ｇ２）から半導体素子２と中間基板１３の枠の内壁との隙間（第１の隙間Ｇ１）へと広がり、これらの隙間を全て埋めるように流動する。また、この熱圧着の際の熱によって導体パターン１２１の銀ペースト材が硬化する。これにより、半導体素子２の側方と半導体素子２の下方とが絶縁性接着剤３で覆われた高信頼性の半導体装置が完成する（図６（ｃ）参照）。なお、上記圧力を加える際には真空チャンバ内など真空中で行い、第１の隙間Ｇ１や第２の隙間Ｇ２の空気を予め抜いておくことで気泡を残すことなく確実に絶縁性接着剤３を第１の隙間Ｇ１および第２の隙間Ｇ２に充填できるようになる。
【００３０】
図７は、本実施形態に係る半導体装置の製造方法の流れを示す概略フローチャートである。この製造方法では、先ず、絶縁性接着剤を下側基板に塗布し（ステップＳ１）、加熱処理を行い（ステップＳ２）、次に半導体素子（ＩＣチップ）を搭載し（ステップＳ３）、再度熱処理を施す（ステップＳ４）。その後、各種基板を一括積層して熱圧着し、半導体素子が組み込まれた多層基板から成る半導体装置を完成させる。
【００３１】
このような工程において、絶縁性接着剤としてはエポキシやポリイミド等の熱硬化性樹脂を用いる。また、ステップＳ２に示す加熱処理では、例えば１００℃／１０分で絶縁性接着剤の溶剤を除去し、ステップＳ４に示す加熱処理では、例えば１４０℃／１５分で熱可塑性樹脂の粘度を高める。
【００３２】
また、上側基板１１、中間基板１３、下側基板１２およびその他の基板１４、１５として熱可塑性樹脂を用いることで、一括積層後には各種基板の接触部分が熱圧着され、一体的な多層基板に半導体素子２が組み込まれた半導体装置１が構成される。しかも、内部に組み込まれる半導体素子２は、周囲の基板との絶縁を保ちながら、電極バンプ２１および導体パターン１２１の部分での電気的接続も確実に行われることになる。
【００３３】
なお、本実施形態では下側基板１１に設ける導体パターン１２１としてペースト状のものを用いる例を説明したが、ペースト状でないもの（例えば、銅パターン）を用いる場合でも適用可能である。つまり、導体パターン１２１がペースト状でない場合であっても基板一括積層後の加圧によって半導体素子２の電極バンプ２１が下側基板１１の導体パターン１２１に僅かでも押し込まれるため、これによって半導体素子２と下側基板１１との隙間が狭くなって絶縁性接着剤３を周辺に押し、第１の隙間Ｇ１および第２の隙間Ｇ２に充填できるようになる。
【図面の簡単な説明】
【００３４】
【図１】本実施形態に係る半導体装置を説明する模式断面図である。
【図２】第１の隙間部分の拡大模式断面図である。
【図３】本実施形態に係る半導体装置の製造方法を説明する模式図（その１）である。
【図４】本実施形態に係る半導体装置の製造方法を説明する模式図（その２）である。
【図５】本実施形態に係る半導体装置の製造方法を説明する模式図（その３）である。
【図６】本実施形態に係る半導体装置の製造方法を説明する模式図（その４）である。
【図７】本実施形態に係る半導体装置の製造方法の流れを示す概略フローチャートである。
【図８】従来の半導体装置の実装方法を説明する模式断面図である。
【図９】絶縁性接着剤が半導体素子の外形端からはみ出した状態を説明する模式断面図である。
【符号の説明】
【００３５】
１…半導体装置、２…半導体素子、３…絶縁性接着剤、１１…上側基板、１２…下側基板、１３…中間基板、２１…電極バンプ、３１…中央塗布領域、３２…放射塗布領域、１２１…導体パターン、Ｇ１…第１の隙間、Ｇ２…第２の隙間
【図１】
2006013023.tif 000003
【図２】
2006013023.tif 000004
【図３】
2006013023.tif 000005
【図４】
2006013023.tif 000006
【図５】
2006013023.tif 000007
【図６】
2006013023.tif 000008
【図７】
2006013023.tif 000009
【図８】
2006013023.tif 000010
【図９】
2006013023.tif 000011